(57)【特許請求の範囲】
【請求項１】
容器（８）のシャッター（２０）を開いて供給される被搬送物（Ａ）を、内燃エンジン（１３）によって駆動される送風機（６）によって生成された気流によって搬送する搬送装置（２）に用いられるコントロール装置（２４）であって、
作業者の操作によって移動する操作部（３２）と、前記内燃エンジン（１３）を起動または停止させるためのスイッチ部（３４）と、前記操作部（３２）の動きと連動して前記内燃エンジン（１３）のスロットル弁（６１ａ）および前記シャッター（２０）の開閉を制御するカム（５０）をもつカム装置（３６）と、を有し、前記カム（５０）は、前記スロットル弁（６１ａ）がアイドル位置にあり、また、前記シャッター（２０）が全閉位置にある基準位置（ｐ１）から、前記スロットル弁（６１ａ）および前記シャッター（２０）の開放位置（ｐ２、ｐ３）へ第一方向（Ｉ）に、また、該開放位置（ｐ２、ｐ３）から前記基準位置（ｐ１）まで第二方向（II）に往復して前記スロットル弁（６１ａ）および前記シャッター（２０）の開閉を制御し、また、前記スイッチ部（３４）は、前記内燃エンジン（１３）を停止させるための停止スイッチ（６６）と、前記エンジン（１３）を起動させるための起動スイッチ（６８）と、押す度に前記停止スイッチ（６６）と前記起動スイッチ（６８）とを交互に有効にするための切替スイッチ（７０）と、前記カム（５０）の縁部に向かって横方向に延びる、前記停止スイッチ（６６）、前記起動スイッチ（６８）、および、前記切替スイッチ（７０）を同時に押すための押し部材（７２）と、を有し、前記カム（５０）の前記縁部には、前記カム（５０）が、前記基準位置（ｐ１）から、前記開放位置（ｐ２、ｐ３）から遠ざかる前記第二方向（II）に移動することによって前記押し部材（７２）を押すように突出した突起（５０ｃ）が設けられており、
前記シャッター（２０）は、前記カム（５０）によって、前記スロットル弁（６１ａ）が全開している間のみ開くように制御されている、ことを特徴とするコントロール装置。
【請求項２】
前記操作部（３２）と前記カム（５０）とが、可撓性を有するケーブル（４４）によって連結されており、該ケーブル（４４）によって、前記操作部（３２）の動きが前記カム（５０）に伝達される、ことを特徴とする請求項１に記載のコントロール装置。
【発明の詳細な説明】
【０００１】
【産業上の利用分野】
本発明は、内燃エンジンの起動・停止およびスロットルの開閉を制御するためのコントロール装置に関する。
【従来技術】
従来から、農作業などに使用される、例えば、散布機や刈払機等の小型作業機は、散布すべき被搬送物を搬送する気流を生成するための送風機を駆動したり、刈刃を回転駆動するため、小型空冷２サイクルガソリンエンジン等の内燃エンジンを動力源として利用している。該内燃エンジンの起動・停止および回転速度の制御の操作は、作業を円滑に行うため、できるだけ簡略化されていることが望ましい。
【０００２】
【発明が解決しようとする課題】
そこで、本発明の目的は、エンジンの起動・停止および回転速度の操作が簡略化されたコントロール装置を提供することにある。
【０００３】
【課題を解決するための手段】
本発明の上記目的は、内燃エンジンの起動・停止およびスロットル弁の開閉を制御するためのコントロール装置であって、作業者の操作によって移動する操作部と、前記内燃エンジンを起動または停止させるためのスイッチ部と、前記操作部の動きと連動して、前記スロットル弁の開閉を制御するカムをもつカム装置と、を有し、前記カムは、前記スロットル弁がアイドル位置にある基準位置から開放位置へ第一方向に、また、該開放位置から前記基準位置まで第二方向に往復して前記スロットル弁の開閉を制御し、また、前記スイッチ部３４は、前記内燃エンジンを停止させるための停止スイッチと、前記内燃エンジンを起動させるための起動スイッチと、前記停止スイッチと前記起動スイッチとを交互に有効にするための切替スイッチと、前記カムの縁部に向かって延びる、前記停止スイッチ、前記起動スイッチ、および、前記切替スイッチを同時に押すための押し部材と、を有し、前記カムの前記縁部には、前記カムが、前記基準位置から、前記開放位置から遠ざかる前記第二方向に移動するとき前記押し部材を押すように突出した突起が設けられている、ことを特徴とするコントロール装置によって達成することができる。
【０００４】
本発明は以下の通り作用する。初め、前記停止スイッチが有効となっており、前記内燃エンジンは停止された状態となっている。その状態において、作業者が前記操作部を動かして、前記カムを前記基準位置から、前記開放位置から遠ざかる前記第二方向に移動させると、前記突起によって前記押し部材が押される。それによって、前記起動スイッチが前記切替スイッチによって有効とされ、同時に、前記起動スイッチも前記押し部材によって押されて、前記エンジンが起動される。引き続き、作業者が前記操作部を反対方向に移動させると、前記カムが前記第一方向に移動され、前記突起が前記押し部材から遠ざかる方向に移動する。また、作業者が前記第一方向へ前記操作部を更に移動させると、前記カムに制御されて、前記エンジンの前記スロットルが大きく開かれる。
【０００５】
また、作業者が前記操作部を再び反対方向に操作すると、前記カムによって前記スロットルが閉じられる。作業者が前記第二方向へ前記操作部を更に操作して、前記前記カムが前記基準位置を超えて前記第二方向に移動すると、前記カムの前記突起によって前記押し部材が押される。これによって、前記停止スイッチが前記切替スイッチによって有効とされ、同時に、前記停止スイッチが押されて、前記エンジンが停止される。
本発明によれば、作業者は、前記操作部の一連の移動操作だけで、前記エンジンの起動・停止および前記スロットルの開閉操作を行うことができるので、操作が容易となる。
【０００６】
【発明の実施の形態】
以下、添付の図面を参照しつつ、本発明にかかるエンジンのコントロール装置の一実施の形態について説明する。以下、例示として、前記コントロール装置を、内燃エンジンによって駆動される送風機で生成された気流によって、被搬送物としての粒剤を搬送するための搬送装置に使用した場合について説明する。
図１は、本実施形態にかかる搬送装置を示す。
本実施形態にかかる粒剤搬送装置２は、例えば、作業者が既に所有している背負式動力散布機４の送風機６を利用して搬送風を生成して、粒剤Ａを搬送するようになっている。図１を参照しつつ、前記粒剤搬送装置２の構成を説明すると、前記粒剤搬送装置２は、肥料や除草剤等の粒剤Ａを収容するための漏斗状のホッパ８と、該ホッパ８の下端に位置する漏斗口１０の下方に、設置面Ｂに沿って横方向に略真っ直ぐに延びる搬送用管１２と、前記背負式散布機４の内燃エンジン１３によって駆動される前記送風機６と、該送風機６の空気噴出口６ａと前記搬送用管１２の接続すべき端部１２ａとを連結する曲がり管１４と、前記ホッパ８を支持する支持構造体１６と、を有する。
【０００７】
前記搬送用管１２は、その上面に、前記漏斗口１０に向かって開放して前記ホッパ８からの前記粒剤Ａを受け入れるための開口１８を有する。前記漏斗口１０には、揺動して開閉するシャッター２０が設けられている。該シャッター２０および前記内燃エンジン１３の気化器６１の、ばね６０によって全閉方向へ付勢されているスロットル弁６１ａの開閉制御は、後に詳述するように、本実施形態にかかるコントロール装置２４によって行われる。前記搬送用管１２の先端部１２ｂには、作業者がグリップ５５を握って操作する本実施形態にかかるセパレータ３０が設けられており、前記送風機６によって生成された気流によって、前記搬送用管１２に沿って搬送された前記粒剤Ａは、前記先端部１２ｂに設けられた前記セパレータ３０によって、空気と分離され、前記粒剤Ａが下端に設けられた吐出口３０ａから下方に吐出される。
【０００８】
図２は、搬送用管の先端部に設けられたコントロール装置の操作部を示す。図３乃至図６は、コントロール装置のカム装置の作動を示す行程図である。また、図７は、エンジンの起動・停止を行うためのスイッチ部の構成を示す。
本実施形態にかかる前記コントロール装置２４は、作業者によって操作される操作部３２と、前記エンジン１３を起動または停止させるためのスイッチ部３４と、前記操作部３２の動きと連動して、前記スロットルの開閉を制御するカム装置３６とを有する。
【０００９】
図２に示すように、前記搬送用管１２に適宜の長さの可撓性蛇腹管１２ｃを介して接続された前記先端部１２ｂには、本実施の形態にかかる前記コントロール装置２４の前記操作部３２が設けられている。既に説明したように、前記粒剤搬送装置２によって搬送された粒剤Ａは、前記搬送用管１２の先端に設けられた前記セパレータ３０によって空気と分離され、前記粒剤Ａは前記吐出口３０ａから下方に吐出される。作業者は、前記搬送用管１２の前記先端部１２ｂを前記グリップ５５を使って手で持って、前記吐出口３０ａを、搬送された前記粒剤Ａを収容すべき容器に向けて、また、前記粒剤Ａを散布すべき農作物の根元等に向けて保持する。その際に、作業者は、手元の前記コントロール装置２４の前記操作部３２を操作して、前記エンジン１３の起動・停止および前記スロットル弁６１ａの開閉、更に、前記シャッター２０の開閉の制御を行い、前記粒剤Ａの搬送の開始および停止を操作する。
【００１０】
前記操作部３２は、作業者によって揺動操作される操作レバー３８と、該操作レバー３８の基端が取付けられた、上下方向に配置された巻き取りドラム部材４０とを有する。該巻き取りドラム部材４０は、第一回動軸４２を中心として回動自在かつ回動位置自己保持自在に設けられている。前記操作部３２と前記カム装置３６とは、一端が前記巻き取りドラム部材４０に連結され、他端が前記カム装置３６に連結されたボーデンケーブルのインナーケーブル４４によって互いに作動上連結されており、前記操作レバー３８の揺動動作、すなわち前記巻き取りドラム部材４０の回動運動が、前記ケーブル４４を介して前記カム装置３６に伝達される。
【００１１】
図２には、前記エンジン１３の起動・停止、前記スロットル弁６１ａおよび前記シャッター２０の開閉に対応する、前記操作レバー３８の四つの操作位置が示されている。前記操作レバー３８が、第一操作レバー位置（基準位置）Ｐ１にあるときには、前記スロットル弁６１ａはアイドル位置にあり、また、前記シャッター２０は全閉位置Ｃにある。第二操作レバー位置Ｐ２にあるときには、前記スロットル弁６１ａは高速回転位置または全開位置にあり、また、前記シャッター２０は前記全閉位置Ｃに維持されている。第三操作レバー位置Ｐ３にあるときには、前記スロットル弁６１ａは前記全開位置に維持されており、また、前記シャッター２０は全開位置Ｏにある。更に、前記操作レバー３８が第四操作レバー位置Ｐ４にあるときには、前記スロットル弁６１ａは始動操作を容易にせしめるため前記アイドル位置より若干開いたアイドルアップ位置に、また、前記シャッター２０は前記全閉位置Ｃに維持されたまま、前記エンジン１３の起動・停止を行うための前記スイッチ部３４が作動される。
【００１２】
前記操作レバー３８は、以下に詳述するように、前記第一回転軸４２を中心として、前記第一操作レバー位置Ｐ１から前記第三操作レバー位置Ｐ３に向かって第一操作レバー回転方向Ｉに、また、前記第三操作レバー位置Ｐ３から前記第一操作レバー位置Ｐ１に向かって、更に、前記第一操作レバー位置Ｐ１から前記第四操作レバー位置Ｐ４に向かって第二操作レバー回転方向IIに揺動運動可能に設けられている。なお、図示しないが、前記ケーブル４４を介して伝達される引張ばね５２の引張力に抗して、前記操作レバー３８を前記第一操作レバー位置Ｐ１、第二操作レバー位置Ｐ２および第三操作レバー位置Ｐ３に係止するため、前記各操作レバー位置に対応して設けられた三つのストッパまたは凹部が、前記セパレータ３０のハウジング４６に形成されている。
【００１３】
図３を参照しつつ、前記コントロール装置２４の前記カム装置３６の詳細を示す。該カム装置３６は、前記ホッパ８の下端の前記漏斗口１０の近傍に設けられている。前記カム装置３６は、第二回転軸４８を中心として回転する板カム５０を有する。該板カム５０と、前記操作レバー３８が取りつけられた前記巻き取りドラム部材４０とは、互いに、前記ケーブル４４を介して作動上連結されている。より詳細には、前記ケーブル４４の一端４４ａは、前記操作レバー３８の基端が取付けられた前記巻き取りドラム部材４０の周縁部の上部に連結されており、他端４４ｂは、前記板カム５０の周縁部の下部に連結されている。前記板カム５０は、図３に示すように、一端５２ａが前記カム装置３６のハウジング４５に取付けられ、他端５２ｂが前記板カム５０に取りつけられた引張ばね５２によって、図３において時計方向、すなわち、前記ケーブル４４を引張る方向に付勢されている。
【００１４】
前記板カム５０は、前記操作レバー３８の操作における移動量に伴って、前記ケーブル４４を介して回転せしめられ、前記第一操作レバー位置Ｐ１に対応する基準位置としての第一カム位置ｐ１、第二操作レバー位置Ｐ２に対応する第二カム位置ｐ２、第三操作レバー位置Ｐ３に対応する第三カム位置ｐ３、および、前記第四操作レバー位置Ｐ４に対応する第四カム位置ｐ４の間で移動する。前記板カム５０は、前記操作レバー３８の揺動操作に伴って、前記第二回転軸４８を中心として、前記第一カム位置ｐ１から前記第三カム位置ｐ３に向かって第一カム回転方向Ｉ′に、また、前記第三カム位置ｐ３から前記第一カム位置ｐ１に向かって、また、前記第一カム位置ｐ１から前記第四カム位置ｐ４に向かって、第二カム回転方向II′に回転される。なお、前記ケーブル４４の前記一端４４ａは、前記巻き取りドラム部材４０の前記周縁部の上部に連結されており、前記他端４４ｂは、前記板カム５０の前記周縁部の下部に連結され、前記巻き取りドラム部材４０と前記板カム５０とでは、回転方向が互いに逆となって連動される。
【００１５】
該板カム５０の前記周縁部には、前記スロットル弁６１ａの開閉を制御するための第一カム面５０ａと、該第一カム面５０ａとは前記第二回転軸４８の軸線方向に偏位して設けられた、前記シャッター２０の開閉を制御するための第二カム面５０ｂと、該第二カム面５０ｂと軸線方向に偏位して設けられた、前記スイッチ部３４を作動させるための突起５０ｃとが設けられている。これらは同期して一体的に回転運動する。前記第一カム面５０ａと前記第二カム面５０ｂとは、前記エンジン１３が所定回転数以上で駆動されている間のみ、または、前記スロットル弁６１ａが全開している間のみ、前記シャッター２０を開く関係に形成されている。すなわち、前記スロットル弁６１ａが全開しており、前記送風機６によって生成される風量が最大である間のみ、前記シャッター２０が開くようになっている。前記突起５０ｃについては、後に詳述する。
【００１６】
更に、前記板カム５０には、該板カム５０と同軸状に設けられ、かつ、一体的に回転して、前記ケーブル４４を巻き取るための円周面５０ｄを有する。前記操作レバー３８を前記第一操作レバー位置Ｐ１から前記第三操作レバー位置Ｐ３に向かって移動させる、すなわち、前記板カム５０に向かって移動させることによって前記板カム５０が前記第一回転方向Ｉ′に回転するとき、前記ボーデンケーブル４４の余剰長さ部分は、前記円周面５０ｄによって巻き取られる。
図３を見て分かるように、前記カム装置３６は、更に、前記第一カム面５０ａと前記第二カム面５０ｂのそれぞれと係合して揺動する第一揺動部材５４と第二揺動部材５６とを有する。前記第一揺動部材５４は、略Ｌ字形に形成されており、Ｌ字形の角部に第一枢軸５８が設けられており、該第一枢軸５８から両側に延びる二本のアーム部分のうち一方５４ａが前記第一カム面５０ａと摺接しており、これによって、前記第一揺動部材５４が前記第一枢軸５８を中心として揺動運動する。また、他方５４ｂのアーム部分の先端は、前記エンジン１３の前記スロットル弁６１ａに第一連動ロッド５１を介して連結されており、前記第一揺動部材５４の揺動によって前記スロットル弁６１ａが開閉される。詳細は図示しないが、前記背負式動力散布機４には、もともと第一連動ロッド５１を介して前記スロットル弁６１ａを開閉する操作レバー６３が設けられており、前記第一連動ロッド５１を前記操作レバー６３から取外して、前記第一揺動部材５４の前記他方５４ｂのアーム部分に連結する。
【００１７】
また、前記第二揺動部材５６は、全体として上向きに僅かに曲がった棒状をなしており、その中心が第二枢軸６２（前記第一枢軸５８）で枢着されている。該第二枢軸６２を中心として両側に延びる二本のアーム部分のうち、一方５６ａが前記第二カム面５０ｂと摺接しており、これによって、前記第二揺動部材５６が前記第二枢軸６２を中心として揺動運動するようになっている。また、他方５６ｂのアーム部分の先端が、前記シャッター２０に第二連動ロッド６４及びシャッターアーム２０ａを介して連結されており、前記第二揺動部材５６の揺動によって、前記シャッター２０が開閉される。
なお、前記第二揺動部材５６は、ばね５３によって、前記シャッター２０を閉じる方向へ付勢されている。
【００１８】
図３を見て分かるように、前記カム装置３６の前記板カム５０に隣接して、前記エンジン１３の起動・停止を行うための前記スイッチ部３４が設けられている。該スイッチ部３４は、前記背負式動力散布機４の前記エンジン１３に、電線３４ａを介して接続されている。図７を参照しつつ、前記スイッチ部３４の構成の詳細について説明する。該スイッチ部３４は、前記エンジン１３を停止させるための停止スイッチ６６と、前記エンジン１３を起動させるための起動スイッチ６８と、押す度に前記停止スイッチ６６と前記起動スイッチ６８とを交互に有効にするための切替スイッチ７０と、前記停止スイッチ６６、前記起動スイッチ６８、および、前記切替スイッチ７０を同時に押すためのプレート状の押し部材７２と、を有する。前記停止スイッチ６６、前記起動スイッチ６８、および、前記切替スイッチ７０は、前記押し部材７２に沿って一列に配置されている。前記押し部材７２は、先端縁部７２ａは前記カムの前記周縁部に向かって横方向に延びており、基端縁部７２ｂは前記ハウジング４５内に枢着され、ストッパー７３によって、下方への揺動を規制されている。
【００１９】
また、前記板カム５０に設けられた前記突起５０ｃは、前記押し部材７２の前記先端縁部７２ａに向かって延びており、前記押し部材７２と対向した押し面をもつ爪状に形成されている。前記突起５０ｃは、前記操作レバー３８が、前記第一操作レバー位置Ｐ１から、前記第二操作レバー回転方向IIに移動されるのに伴って、前記板カム５０が、前記前記第一カム位置ｐ１から前記第四カム位置ｐ４に前記第二カム回転方向II′に移動することによって、前記押し部材７２の前記先端縁部７２ａを押すように、前記板カム５０の前記周縁部に形成されており、前記第一カム面５０ａおよび前記第二カム面５０ｂは、その間、前記スロットル弁６１ａが前記アイドルアップ位置に、また、前記シャッター２０が前記全閉位置Ｃに維持されるように形成されている。
【００２０】
以下に、図２乃至図６を参照しつつ、本実施形態にかかるコントロール装置の作動を説明する。
初期状態において、前記停止スイッチ６６が有効となっており、前記エンジン１３は停止している。前記操作レバー３８は、初期位置として、図２に示す前記第一操作レバー位置Ｐ１にある。更に、前記板カム５０は、図３に示す位置にあり、前記スロットル弁６１ａは前記アイドル位置にあり、また、前記シャッター２０は全閉位置Ｃにある。
まず、作業者は、前記引張ばね５２のばね力の抗して、前記操作レバー３８を前記第一操作レバー位置Ｐ１から前記第四操作レバー位置Ｐ４に向かって移動する。これによって、前記操作レバー３８の前記基端が取りつけられている前記巻き取りドラム部材４０が、前記第二操作レバー回転方向IIに回転する。それによって、前記ケーブル４４が引張られ、前記板カム５０が前記第二カム回転方向II′に回転し、前記突起５０ｃの前記押し面が前記押し部材７２に向かって移動して、図４に示すように、前記押し部材７２が押し上げられ、前記切替スイッチ７０によって前記起動スイッチ６８が有効とされると同時に、前記停止スイッチ６６も押されて無効とされることによって、前記エンジン１３が図示しないセルモータやリコイルスタータ等により起動される。この間、前記スロットル弁６１ａは前記アイドルアップ位置にあり、前記エンジン１３は、始動に適した前記アイドルアップ状態となっている。一方、前記シャッター２０は全閉位置Ｃにある。
【００２１】
前記エンジン１３の回転が安定した時点で、引き続き、作業者が、前記操作レバー３８を前記第四操作レバー位置Ｐ４から前記第一操作レバー位置Ｐ１に戻すと、前記板カム５０は、前記引張ばね５２によって、図４に示す状態から図３に示す状態に戻される。この状態では、前記板カム５０によって、前記スロットル弁６１ａは若干閉じられて前記アイドル位置に、また、前記シャッター２０は前記全閉位置Ｃに保持されたままである。なお、前記突起５０ｃは前記押し部材７２から遠ざかる方向、すなわち、前記第一カム回転方向Ｉ′に回転する。
【００２２】
更に、作業者が、前記操作レバー３８を前記第一操作レバー位置Ｐ１から前記第二操作レバー位置Ｐ２に移動させると、前記板カム５０は、前記引張ばね５２によって、図３に示す位置から図５に示す位置に、前記第一カム回転方向Ｉ′に回転する。これによって、前記板カム５０の前記第一カム面５０ａによって前記第一揺動部材５４が揺動されて、前記スロットル弁６１ａが前記全開位置に移動される。一方、前記第二揺動部材５６は、前記第二カム面５０ｂによって揺動されることなく、前記シャッター２０は、前記閉鎖位置Ｃに維持されたままである。なお、前記突起５０ｃは前記押し部材７２から遠ざかる方向、すなわち、前記第一カム回転方向Ｉ′に回転する。この状態で、前記送風機６は前記エンジン１３によって駆動されて、最大量の気流が前記搬送用管１２の中を流れるが、前記シャッター２０は閉じていることから、前記粒剤Ａは前記搬送用管１２に供給されていない。
【００２３】
更に、作業者が、前記操作レバー３８を前記第二操作レバー位置Ｐ２から前記第三操作レバー位置Ｐ３に移動させると、前記板カム５０は、前記引張ばね５２によって、図５に示す位置から図６に示す位置に、前記第一カム回転方向Ｉ′に更に回転する。この状態においては、前記板カム５０の前記第一カム面５０ａによって、前記第一揺動部材５４が揺動されたままで、前記スロットル弁６１ａが全開のままとされる。また、前記第二揺動部材５６は、前記第二カム面５０ｂの摺接位置の変化によって揺動されて、前記シャッター２０が前記第二連動ロッド６４を介して全開Ｏ状態とされる。なお、前記突起５０ｃは前記押し部材７２から遠ざかる方向、すなわち、前記第一カム回転方向Ｉ′に更に移動する。この状態では、前記ホッパ８内の前記粒剤Ａは、前記漏斗口１０を介して前記搬送用管１２内に供給される。該粒剤Ａは、前記送風機６によって生成された最大量の気流に搬送されて、前記搬送用管１２内に残されることなく下流側に移動し、前記セパレータ３０によって空気と分離されて、前記粒剤Ａが前記吐出口３０ａから下方に吐出される。
【００２４】
前記粒剤Ａの搬送作業または散布作業が終了したら、作業者は、前記操作レバー３８を反対方向に移動させる。すなわち、前記操作レバー３８を前記第三操作レバー位置Ｐ３から前記第一操作レバー位置Ｐ１に第二操作レバー回転方向IIに移動させると、前記板カム５０が前記第二カム回転方向II′に回転して、前記図６および図５を参照しつつ説明した上記工程を逆の順に経て、図３に示す状態に戻る。すなわち、まず、前記スロットル弁６１ａが前記全開位置に維持されたままで、前記シャッター２０は前記全閉位置Ｃに移動される。前記シャッター２０が前記全閉位置Ｃに移動された後、前記スロットル弁６１ａは前記アイドル位置に移動される。
作業者が、更に、前記操作レバー３８を前記第一操作レバー位置Ｐ１から前記第四操作レバー位置Ｐ４に向かって移動せしめると、前記板カム５０が、図３に示す状態から、図４に示すように前記第二カム回転方向II′に回転し、前記突起５０ｃの前記押し面が前記押し部材７２に向かって移動して、前記押し部材７２を押す。それによって、前記切替スイッチ７０によって前記停止スイッチ６６の電気回路が有効とされると同時に、前記停止スイッチ６６も押され、前記エンジン１３が停止される。なお、前記スロットル弁６１ａは前記アイドルアップ位置に、また、前記シャッター２０は前記全閉位置Ｃに維持される。
【００２５】
引き続き、作業者が、前記操作レバー３８から手を放すと、前記操作レバー３８は、前記引張ばね５２によって、前記第四操作レバー位置Ｐ４から前記第一操作レバー位置Ｐ１に戻され、前記操作レバー３８は前記凹部によって、前記第一操作レバー位置Ｐ１に保持される。
前記実施形態によれば、前記第一カム面５０ａと前記第二カム面５０ｂとは、前記エンジン１３が所定回転数以上で駆動されている間のみ、または、前記スロットルが全開している間のみ、前記シャッター２０が開く関係に形成されている。すなわち、前記スロットル弁６１ａが全開しており、前記送風機６によって生成される風量が最大である間のみ、前記シャッター２０が開くようになっているので、前記粒剤Ａが気流によって確実に搬送されるようになっており、前記搬送用管１２内に前記粒剤Ａが堆積するのが防止される。また、前記エンジン１３の回転数を低下させたときの、前記シャッター２０の閉じ忘れを防止することができる。これを、作業者による、前記操作レバー３８の一連の回転操作だけで行うことができるので、操作が簡略化される。
【００２６】
また、本実施形態によれば、前記操作レバー３８と前記カム装置３６とが、可撓性を有する前記ケーブル４４によって連結されているので、前記ホッパ８の前記漏斗口１０の近傍に設けられた前記カム装置３６と、前記搬送用管１２の先端部１２ｂに設けられた前記操作レバー３８と、を、前記搬送用管１２の柔軟性を損なわずに互いに連結することができる。
更に、本実施形態によれば、前記板カム５０が前記操作レバー３８と前記ケーブル４４によって連結され、また、前記第一揺動部材５４が前記スロットル弁６１ａに前記第一連動ロッド５１を介して連結され、また、前記シャッター２０に前記第二連動ロッド６４を介して連結されているので、これらの開閉を遠隔操作することができる。
更に、前記板カム５０が前記第二カム回転方向II′に回転するときに、前記突起５０ｃによって前記押し部材７２が押される。一方、前記シャッター２０および前記スロットル弁６１ａの制御は、前記第一カム回転方向Ｉ′に回転する間に行われ、その間、前記突起５０ｃは前記押し部材７２から遠ざかる方向に移動するので、前記突起５０ｃが前記板カム５０の回転を妨げることがなく、簡単な構造を有する前記板カム５０の回転運動だけで、前記スイッチ部３４の作動および前記スロットル弁６１ａおよび前記シャッター２０の開閉操作を行うことができる。
【００２７】
本発明は、以上の実施の形態に限定されることなく、特許請求の範囲に記載された発明の範囲内で種々の変更が可能であり、それらも本発明の範囲内に包含されるものであることはいうまでもない。
例えば、本実施形態においては、回転する板カム５０を使用しているが、カムは他の形式のカムであってもよく、例えば、前記操作レバー３８の動きと連動して直線往復運動する直動カムであってもよい。その際、該直動カムが第一方向に移動するとき、前記シャッター２０および前記スロットル弁６１ａの開閉を制御するようにし、また、前記直動カムに前記突起５０ｃを設け、前記直動カムが前記第一方向とは反対方向である第二方向に移動するとき、前記押し部材７２を前記突起５０ｃによって押すことができるようにしてもよい。
【００２８】
前記板カム５０を付勢せしめる手段も、説明簡略化のために、引張りばね５２を使用した実施の形態について説明したが、前記板カム５０に十分な回動付勢力を与えるために、前記第二回転軸４８の回りに巻装したねじりコイルばねを用いると、一層好適である。
また、前記操作レバー３８は、直線運動するようにしてもよく、また、レバーである必要はなく操作ダイヤル等にしてもよい。
更に、本実施形態においては、前記コントロール装置２４を、例示として、前記搬送装置２の前記送風機６を駆動するための前記エンジン１３の起動・停止および前記スロットル弁６１ａの開閉を制御する場合について説明したが、前記コントロール装置２４は、前記搬送装置以外のいかなるエンジン１３に利用してもよい。
更に、本実施形態における被搬送物Ａは粒剤であったが、被搬送物は、粉状、液状等、気流によって搬送可能ないかなる物であってもよい。
【００２９】
【発明の効果】
本発明によれば、エンジンの起動・停止および回転速度の操作が容易なコントロール装置を提供することができる。
【図面の簡単な説明】
【図１】本実施形態にかかるコントロール装置を備えた搬送装置を示す。
【図２】搬送用管の先端部に設けられたコントロール装置の操作レバーを示す。
【図３】コントロール装置のカム装置の作動を示す行程図である。
【図４】コントロール装置のカム装置の作動を示す行程図である。
【図５】コントロール装置のカム装置の作動を示す行程図である。
【図６】コントロール装置のカム装置の作動を示す行程図である。
【図７】エンジンの起動・停止を行うためのスイッチ部の構成を示す。
【符号の説明】
２   搬送装置
６   送風機
８   容器
１３   内燃エンジン
２０   シャッター
２４   コントロール装置
３２   操作部
３４   スイッチ部
３６   カム装置
４４   ケーブル
５０   カム（板カム）
５０ｃ 突起
６１ａ スロットル弁
６６   停止スイッチ
６８   起動スイッチ
７０   切替スイッチ
７２   押し部材
Ａ   被搬送物
ｐ１   基準位置
ｐ２   開放位置
ｐ３   開放位置
Ｉ   第一方向
II   第二方向
【図１】
0004012666.tif 000002
【図２】
0004012666.tif 000003
【図３】
0004012666.tif 000004
【図４】
0004012666.tif 000005
【図５】
0004012666.tif 000006
【図６】
0004012666.tif 000007
【図７】
0004012666.tif 000008